(57)【要約】【課題】通信ネットワークシステム環境においてユーザー及び周りの人間に、香り・匂いを、香り発生器から放出することにより提供する。【解決手段】予め準備された容器・カートリッジ内に香り原料を貯蔵しておき、それを束ねて収容したものを香り発生器と名付け、ネットワーク出力コンピューターに電気的に接続しておく。その容器・カートリッジの出口部分に設備された電気式バルブを，接続されたコンピューターの操作によって開閉し，よって容器内の香り原料を恣意的に大気中に放出し，ユーザーや周りの人間に，香りを提供する。【選択図】  図１
2004301483.tif 000002
【特許請求の範囲】
【請求項１】
通信ネットワークシステム（１）の出力端末（２）に電気的に接続された（３）香り発生器（４）を装備した香り供給システム（５）であって、
通信ネットワークシステム（１）とは、即ち、光ファイバーやインターネットなど有線通信及び、衛星通信や無線ＬＡＮなど無線通信のネットワークシステムを通じて、サーバ、入力端末よりの電気信号で作動するシステム。
【請求項２】
通信ネットワークシステムの出力端末に電気的に接続された香り発生器を装備した香り供給システムであって、
ネットワークを通じて送られてきた電気信号を受けて作動する出力端末（２）とは、ＰＣ（ＰＥＲＳＯＮＡＬ  ＣＯＭＰＵＴＯＲ）、ＰＤＡ（ＰＥＲＳＯＮＡＬＤＩＳＤＬＡＹ  ＡＳＳＩＳＴＡＮＴ），移動体通信端末、ＣＯＭＰＵＴＯＲ，通信家電機器、空気清浄器、テレビ、カーナビ等、ネットワークに接続して信号を受信できる端末機器を対象としている。
【請求項３】
通信ネットワークシステムの出力端末に電気的に接続された香り発生器を装備した香り供給システムであって、
出力端末に電気的に接続された（３）とは、ＰＣ（パソコン）に接続するプリンターのごとく、ＵＳＢ接続のごときパソコン本体と外付け付属機器との接続方法や、無線ＬＡＮのＰＤＡ端末のごとく親機／子機としての無線接続方法など、有線無線双方の通信形態による接続を指す。
さらに、移動体通信端末に行われているごとくに、端末機器の内部に、香り発生器を内蔵する一体型形態をも含む。
【請求項４】
通信ネットワークシステムの出力端末に電気的に接続された香り発生器を装備した香り供給システムであって、
出力端末に接続された香り発生器（４）とは、端末機器よりの電気信号に反応して，香り発生器の内部に装着された容器（あるいはカートリッジ）から，容器・カートリッジ内に内臓された香り原料を排出し，香り発生器の出口より外部に供給する香り発生器である。
香り発生器内には、１個もしくは複数個の容器あるいはカートリッジが内臓されており、その容器あるいはカートリッジの内部には、香り原料が事前に貯蔵されている。この香り発生器，内部の容器あるいはカートリッジおよびその内部の香り原料は，事前に別途専門メーカーにより製造され、ユーザーにて提供されるものである。
その容器内に事前に注入されている香り原料が、容器の出口部分に位置する電気式コントロール・バルブの開閉度に応じて外部に排出され，香り発生器の出口より大気中に流出し、香りを提供する。コントロール・バルブの開閉は、バルブと電気回路経由で香り発生器と接続する本体コンピューターにより操作される。
【請求項５】
通信ネットワークシステムの出力端末に電気的に接続された香り発生器を装備した香り供給システムであって、
その香り発生器の構造は、内容物を収容する外郭容器の内部に、香り原料を貯蔵する容器（もしくはカートリッジ）と、その容器（もしくはカートリッジ）内に貯蔵された香り原料を、１セット乃至複数セット内臓している。
その容器（もしくはカートリッジ）は、出口部分に電気信号により制御されるコントロール・バルブを備えており，各容器のバルブを制御する電気信号は、これら容器を束ねて内臓している香り発生器内の回路を通じて外部接続コネクターに集められ、容器外部に接続するコンピューターにつながっている。香り発生器とは、これら容器を束ねて収容するコンテーナーである。
その香り発生器においては、接続しているコンピューターよりの指示により、各容器より排出された複数種の香りガスは香り発生器の中で混合され、香り発生器より大気中に放出される。
そのコンピューターは通信ネットワークシステムの出入力端末を構成している。その放出された混合ガスは、香り発生器の周辺や、その発生器が位置する部屋・スペースの内部空間を浮遊し、機器のユーザーや周辺の人間に香りを提供する。
【請求項６】
上述の香り供給システムは、香り発生器が出力端末に内臓された一体型端末のユーザー自らが端末のテンキーを操作して香りを楽しむ法法や、、ワン・ツ・ワンでネットワークの対極に居る相手に香りを供給する方法や、ネットワーク・サーバーからの同方向通信により，同時に多数の端末機器に香りを供給する方法等いわゆるネットワーク供給を、可能ならしめる。
又、たとえば有線音楽放送のごとく、決められた時間帯決められた相手に香りを供給する事ができる。即ちインターネット・プロバイダーにより、ＡＳＰ（ＡＰＰＬＩＣＡＴＩＯＮ  ＳＥＲＶＩＣＥ  ＰＲＯＶＩＤＥＲ）型の香り・匂いの供給を可能ならしめる。
【請求項７】
上記の香り供給システムは、香り発生器に接続する本体コンピューターのテンキーの操作により、香り発生器内の複数の香り容器（カートリッジ）のコントロール・バルブをそれぞれ独立的に操作することが出来るので、各容器から排出された原料ガスを発生器内で混合し、ＴＰＯに応じた香り・匂いを合成し、提供することができる。
【請求項８】
上記の香り供給システムは、香り発生器が接続されている本体コンピューターのモニター画面のコンテンツと連動して、画面音声に応じた香り・匂いをユーザーに提供することができる。
【請求項９】
上記の香り供給システムは，コンピューター操作により、香り・匂い感覚を含む人間の五感に対し、同時複合的に刺激を提供する事を可能ならしめる。即ち視覚の対象となる文字／映像，聴覚の対象となる音／響き／音楽，味覚の対象となる味，触覚の対象となる皮膚感覚（たとえばボデイーソニック）とコーデイネートして、香り・匂いを提供し，人間の感覚に心地よい環境を提供する事を可能ならしめる。
【請求項１０】
上記香り供給システムは、ユーザーが位置する大気中に，不愉快な臭気が浮遊する場合，香り発生器よりその臭気を中和させる香りガスを発生せしめる事が可能である。
また、ユーザーは自分が望む種類の香りガス、たとえば森林浴の香り，眠気をさそう香りなどを，あらかじめ香り発生器内のカートリッジに準備することによりユビキタスに、準備された香りを感知する事を可能ならしめる。
【請求項１１】
香り発生器内には，上述のごとく複数の容器・カートリッジが内臓されているが、容器Ａ，容器Ｂ，容器Ｃ‥‥の内，各容器の出口バルブを，開と閉とにコントロールすることにより，各容器から排出される香りガスの量を任意に調節し，香りガスの混合体を幾種類も、自分の好みに応じて製造し供給することができる。
【請求項１２】
香り発生器に内臓された香り原料を粒子レベルもしくは分子レベルで荷電せしめておき、その荷電された香りガスを大気中に放出して、電気的に香り粒子・香り分子を制御する事により，香りを移動したり、固定したり，除去したりする事ができる。
【請求項１３】
ネットワークシステム出入力端末を利用して香りガスの供給をコントロールできるので、ＡＳＰ事業者は、ユーザー・顧客と契約を結び，香りガスを配給することができる。
【発明の詳細な説明】
【０００１】
【発明の属する技術分野】
本発明は、人間の五感のひとつである臭覚に訴える香りを，コンピューター操作により恣意的に大気中に供給するネットワークシステムである。香りを、香り原料のかたちで一種類もしくは数種類、予め準備された容器またはカートリッジの内部に貯蔵しておき、その容器・カートリッジの出口部分に電気式コントロールバルブを装備して回線接続している出力端末より操作可能下におく。その容器・カートリッジ群を収容しているコンテーナーを香り発生器と名付けて，、コンピューター操作により各香りカートリッジからの香りを香り発生器経由大気中に放出するシステムである。
【０００２】
【従来の技術】
従来，複数の香り原料を、出口部分にコントロール・バルブを備えた容器・カートリッジに圧入し、そのバルブの開閉を電気信号で制御して香りガスを排出させたり、その排出ガスを恣意的に混合して放出させる技術は、実用的には存在しなかった。
【０００３】
香り原料を石化原料や天然物質より工業的に生産する事は，従来より可能であり、それをカートリッジなどに圧入することも同様であるが、情報通信ネットワーク技術と結びつけて香りを実用に供する事は非現実的と考えられてきた。従って，カートリッジに内臓した香り原料を電気信号により放出する技術は発達しなかった。
【０００４】
ところが、コンピューターネットワーク技術の発達，特にそのプリンター技術の発達に伴い、プリンター・インクを香り原料に置き換え、ネットワーク技術を利用して香りを制御することが可能となってきた。
【０００５】
【発明が解決しようとする課題】
香りを、コンピュターネットワーク技術を使って発生せしめ，大気中に放出する事によって，ユーザーである人間の嗅覚に訴え、爽快感，安心感、癒し感覚などを提供せんとするもの。
【０００６】
或いは，不快な匂いを中和させる事により，減少したり除去せんとするもの。
【０００７】
特に，香り原料をカートリッジ内部にパッケージ化して貯蔵し，そのカートリッジ群の入れ物を香り発生器と名付けて、コンピューターと電気的に接続し，テンキーにより操作する事により，香り・匂いを恣意的に供給せんとするもの。
【０００８】
そのカートリッジの出口部分に電気式コントロール・バルブを装備し、本体コンピューターからの電気信号によりバルブの開閉を操作し，香りの供給を制御せんとするもの。
【０００９】
さらに、そのコンピューターが出力端末としてネットワークシステムに繋がっていることにより，香りの供給をネットワーク・コンピューターからの電気信号に従がって，制御せんとするもの。
【００１０】
さらに、ネットワーク・サーバー技術の利用により、香りの供給を遠隔操作したり，同方向通信的に複数のユーザーに供給したり、ＡＳＰビジネスを可能ならしめんとするもの。
【００１１】
あるいは、移動体通信端末技術を利用して、特定の相手に香りを送る事を可能にせんとするもの。
【００１２】
香り発生器内部には，複数の容器・カートリッジが内蔵されているので、それぞれの容器のバルブをテンキー操作により開閉し，複数の香りガスを発生せしめ、それらをミックスして，特定の用途に合致した香りを供給せんとするもの。
【００１３】
また、ネットワーク・コンピューターが本来供給する映像，音声，音楽などコンテンツにコーデイネートした香りを連動して提供せんとするもの。
【００１４】
【課題を解決するための手段】
上記課題を解決する本発明の通信ネットワークシステム型香り供給システムの第一の態様は，香り原料を電気信号により制御可能な容器・カートリッジの中に予め圧縮して貯蔵し，用途に提供する事である。
【００１５】
その容器・カートリッジの出口部分に、電気信号で制御できるコントロール・バルブが装着されており、バルブの開閉がコンピューターにより操作可能とする事である。
【００１６】
その容器・カートリッジは，１個乃至複数個集まってコンテーナー即ち香り発生器の内部に装着されており、その香り発生器は、コンピューターの外付け付属機器として機能せしめる。コンピューターと香り発生器・カートリッジの関係は、あたかもパソコンとプリンター・インクの関係と同様である。。但し、香り発生器はサイズ的に小型化することが可能であるので、移動体通信端末すなわち携帯電話やＰＤＡ（ＰＥＲＳＯＮＡＬ  ＤＩＧＩＴＡＬ  ＡＳＳＩＳＴＡＮＴ）などと接続して使用する場合、予め両者の一体型機器を製造し使用に供するする事も、可能である。
【００１７】
通信ネットワーク型香り発生器は、接続出力コンピューターと隣接していても、あるいは遠隔していても，接続コンピューターを操作することにより、内部に装備されたカートリッジより放出される香りガスを、自然流布あるいは強制送風により香り発生器出口より放出して、香り・匂いを発生器周辺や、発生器が位置する部屋・スペース空間に供給する。
【００１８】
香り発生器は、通信ネットワーク出力端末に接続されるが、、サーバー・コンピューター、パソコン、ＰＤＡ，携帯電話器、等出力端末に加えて、スタンドアローンの室内用機器、即ちテレビ、冷蔵庫，空気清浄器、送風機、などに接続して使用する事により，恣意的に香りを供給する。
【００１９】
香り発生器と電気信号を交わす主機との接続方法は、コネクター接続、ケーブル接続、など有線接続以外に、無線ＬＡＮ、赤外線、ブルートウース、宇宙通信、など無線通信の双方が使用される。
【００２０】
【発明の実施の形態】
本発明の通信ネットワーク型香り供給システムの実施の形態については、本発明の中核をなす香り発生器の働きを中心に説明をおこなう。
【００２１】
香り原料が予め注入されているカートリッジ（または容器）が、１個乃至複数個収められているところの香り発生器において、カートリッジ出口部分のコントロール・バルブを、接続されたコンピューター操作によって、カートリッジより香りガスを放出せしめ、香り発生器の出口より大気中に供給し、その周辺に香りを浮遊せしめる。
【００２２】
カートリッジ内に貯蔵されている香り原料の種類，数種類の原料の混合仕様、香りの量、香り放出の時間，など香りガスの使用明細は接続されたコンピューターの操作により調整される。
【００２３】
香り発生器は、コンピューターの付属機器として位置付ける事ができるが，通信ネットワーク・システム出入力端末に接続されているので，その端末コンピューターおよびネットワーク・システム出力コンピューターによって隣接操作あるいは遠隔操作され，通信ネットワーク技術を駆使しての香り・匂いの提供が可能である。
【００２４】
同方向通信、プログラミング制御などネットワーク技術の利用により、複数の香り発生器を制御したり，香り発生器内の複数のカートリッジを同時操作したりする事が可能であるので，多種多様の香りを多数のユーザーにユピキタスに供給する。
【００２５】
香り発生器と移動体電話端末との接続においては，電話端末底部コネクターへの香り発生器の直接接続型とか，電話端末内臓一体型などの使用により、ユーザー自身の操作で，或いは，通話相手よりの操作で，香り発生器内部カートリッジの香りガスを組み合わせて，希望する仕様の香りを供給する事ができる。
【００２６】
カーナビのごときＰＤＡに接続された香り発生器においては、車内車外の環境に応じテ、ユーザーの希望する仕様の香りを，予めカートリッジ内に準備された香りガスより選択して供給する事ができる。
【００２７】
香り発生器が接続する出力端末のモニターに提供されている映像・音声・音楽などにコーデイネートする香りを，香り発生器内カートリッジにあらかじめ準備して，要求時に供給する事ができる。
【００２８】
香り原料が注入内臓されたカートリッジ・容器ならびに、それを収容する香り発生器は，別途専門メーカーにより製造され、ユーザーの使用に供される。その実施形態は、パソコンとプリンター、およびプリンター・インク製品の供給形態と同様である。
【００２９】
【発明の効果】
通信ネットワークシスチムの出力端末に電気的に接続された香り発生器を装備した香り供給システムは，その出入力端末コンピューターの操作により香り発生器を作動して、香りガスを大気中に意図的に放出供給することができる。
又、テレビ、カーナビ、ラジオ、電話機等情報家電に接続した香り発生器は，付属機器として機能し、主機のコンテンツに応じた香り・匂いを付加的に提供する。
【図面の簡単な説明】
【図１】本発明の実施形態を示す香り供給システムの全体図。
【図２】上述の香り供給システムにおける香り発生器に内蔵された容
器（カートリッジ）の正面図
【符号の説明】
１      香り発生器
２      容器（カートリッジ）Ａ
３      電気回路
４      パネル
５      コネクター・ケーブル
６      出力端末コンピューター
７      通信ネットワークシステム
８      電気式コントロール・バルブ
９      香り原料
【図１】
2004301483.tif 000003
【図２】
2004301483.tif 000004